(57)【要約】【課題】カバーの装着作業が容易で、しかも、カバーがヒューズユニット本体に対してガタ付かないヒューズユニットを提供する。【解決手段】可溶部２３、２４を有し、一対の本体側係止部３２を有するヒューズユニット本体２と、ヒューズユニット本体２の外面を覆い、一対の本体側係止部３２に係止される一対のカバー側係止部１５を有するカバー１０とを備えたヒューズユニット１であって、一対のカバー側係止部１５は、カバー１０の両側壁１１ｂのそれぞれ内側に配置され、撓み変形可能に形成され、一対のカバー側係止部１５は、一対の本体側係止部３２への係止状態では、外側の向きに共に撓み復帰力を作用させた状態で係止された。【選択図】図１
2015088307.tif 000002
【特許請求の範囲】
【請求項１】
可溶部を有し、一対の本体側係止部を有するヒューズユニット本体と、前記ヒューズユニット本体の外面を覆い、一対の前記本体側係止部に係止される一対のカバー側係止部を有するカバーとを備えたヒューズユニットであって、
一対の前記カバー側係止部は、前記カバーの両側壁のそれぞれ内側に配置され、撓み変形可能に形成され、
一対の前記カバー側係止部は、一対の前記本体側係止部への係止状態では、外側と内側のいずれか一方の同じ向きに共に撓み復帰力を作用させた状態で係止されたことを特徴とするヒューズユニット。
【請求項２】
請求項１記載のヒューズユニットであって、
一対の前記カバー側係止部は、前記各カバー側係止部の内側の根本部とこれに対向する前記ヒューズユニット本体の箇所の各角部を共にアール形状部に形成し、且つ、前記各カバー側係止部の前記根本部のアール形状部の曲率半径より前記ヒューズユニット本体の各角部の曲率半径が小さく設定されたことを特徴とするヒューズユニット。
【発明の詳細な説明】
【技術分野】
【０００１】
本発明は、カバーを備えたヒューズユニットに関する。
【背景技術】
【０００２】
例えば車両搭載用のヒューズユニットとして、バッテリにバッテリ端子を介して固定されるものがある（例えば、特許文献１参照）。このヒューズユニット１００は、図７に示すように、ヒューズユニット本体１０１とヒューズユニット本体１０１に装着されるカバー１１０とを備えている。ヒューズユニット本体１０１は、導電性金属板であるバスバー１０２と、このバスバー１０２の外面にインサート樹脂成形によって設けられた絶縁保護部１０３とを備えている。バスバー１０２には、端子部１０４や可溶部１０５が形成されている。
【０００３】
カバー１１０は、バッテリ１２０のバッテリポスト１２０ａ、バッテリ端子１２１及びヒューズユニット本体１０１の端子部１０４等の外面（主に上面）を覆うように配置される。カバー１１０によって、バッテリポスト１２０ａ、バッテリ端子１２１及びヒューズユニット本体１０１の端子部１０４等における通電時の絶縁を確保する。
【０００４】
図８には、カバー１１０の装着構造の一従来例が示されている。図８に示すように、ヒューズユニット本体１０１の絶縁保護部１０３の両側壁には、一対の本体側係止部１０６が設けられている。カバー１１０の両側壁１１１には、一対のカバー側係止部１１２が設けられている。
【０００５】
図９に示すように、カバー１１０をヒューズユニット本体１０１の上方より被せるべく下方に移動する。すると、カバー側係止部１１２と本体側係止部１０６が突き当たる。この状態より更に下方に移動すると、カバー１１０の両側壁１１１がそれぞれ外側に膨らむ方向に撓み変形し、カバー側係止部１１２が本体側係止部１０６を乗り越える。完全に乗り越えると、カバー１１０の両側壁１１１が撓み復帰変形し、カバー側係止部１１２が本体側係止部１０６に係止される（図８（ｂ）参照）。これで、カバー１１０がヒューズユニット本体１０１に装着される。
【０００６】
この従来例によれば、簡単な装着作業によってカバー１１０をヒューズユニット本体１０１に装着できる。
【先行技術文献】
【特許文献】
【０００７】
【特許文献１】特開２００２−２８９１７１号公報
【発明の概要】
【発明が解決しようとする課題】
【０００８】
しかしながら、前記従来例では、カバー１１０の両側壁１１１に一対のカバー側係止部１１２を設けているので、一対のカバー側係止部１１２の配置位置（例えば間隔寸法）が側壁１１１の変形や、ヒューズユニット本体１０１とカバー１１０間の組み付け誤差等によって容易に変位する。そのため、カバー側係止部１１２と本体側係止部１０６の間にクリアランスｄ（図８（ｂ）に示す）が発生する恐れがある。カバー側係止部１１２と本体側係止部１０６間にクリアランスｄがあると、車両振動によってガタつき、これによって部材の削れ、異音等が発生するという問題があった。
【０００９】
そこで、本発明は、前記した課題を解決すべくなされたものであり、カバーの装着作業が容易で、しかも、カバーがヒューズユニット本体に対してガタ付かないヒューズユニットを提供することを目的とする。
【課題を解決するための手段】
【００１０】
本発明は、可溶部を有し、一対の本体側係止部を有するヒューズユニット本体と、前記ヒューズユニット本体の外面を覆い、一対の前記本体側係止部に係止される一対のカバー側係止部を有するカバーとを備えたヒューズユニットであって、一対の前記カバー側係止部は、前記カバーの両側壁のそれぞれ内側に配置され、撓み変形可能に形成され、一対の前記カバー側係止部は、一対の前記本体側係止部への係止状態では、外側と内側のいずれか一方の同じ向きに共に撓み復帰力を作用させた状態で係止されたことを特徴とするヒューズユニットである。
【００１１】
一対の前記カバー側係止部は、前記各カバー側係止部の内側の根本部とこれに対向する前記ヒューズユニット本体の箇所の各角部を共にアール形状部に形成し、且つ、前記各カバー側係止部の前記根本部のアール形状部の曲率半径より前記ヒューズユニット本体の各角部の曲率半径が小さく設定されたものを含む。
【発明の効果】
【００１２】
本発明によれば、カバーをヒューズユニット本体の外面に被せると、カバー側係止部が撓み変形して本体側係止部に係止されるため、カバーの装着作業が容易である。又、一対のカバー側係止部の配置位置（例えば間隔寸法）は、カバーの両側壁の内側位置に配置されるため、カバーの側壁の変形や、ヒューズユニット本体とカバー間の組み付け誤差等によって容易に変化しない。従って、一対のカバー側係止部は、例えば共に外側向きの撓み復帰力を作用させた状態で本体側係止部に確実に係止されるため、カバー側係止部と本体側係止部の間にクリアランスが発生せず、しかも、カバーの装着後において、一対のカバー側係止部の撓み復帰力がヒューズユニット本体に対するカバーの保持力として作用する。以上より、カバーの装着作業が容易で、しかも、カバーがヒューズユニット本体に対してガタ付かない。
【図面の簡単な説明】
【００１３】
【図１】本発明の一実施形態を示し、ヒューズユニットの分解斜視図である。
【図２】本発明の一実施形態を示し、ヒューズユニットの正面図である。
【図３】本発明の一実施形態を示し、（ａ）はヒューズユニット本体の平面図、（ｂ）は（ａ）のＡ−Ａ線断面図である。
【図４】本発明の一実施形態を示し、（ａ）はカバーの正面図、（ｂ）はカバーの裏面図、（ｃ）は（ｂ）のＢ−Ｂ線断面図である。
【図５】本発明の一実施形態を示し、（ａ）はカバーをヒューズユニット本体に装着する過程で、カバー側係止部が本体側係止部に干渉する前の状態を示す要部断面図、（ｂ）はカバーをヒューズユニット本体に装着する過程で、カバー側係止部が本体側係止部に干渉した状態を示す要部断面図、（ｃ）はカバーをヒューズユニット本体に装着する過程で、カバー側係止部が本体側係止部に係止した状態を示す要部断面図である。
【図６】（ａ）は本実施形態のヒューズユニット本体とカバー間の隙間を示す要部断面図、（ｂ）は比較例のヒューズユニット本体とカバー間の隙間を示す要部断面図である。
【図７】従来例を示し、ヒューズユニットの分解斜視図である。
【図８】従来例を示し、（ａ）はヒューズユニットの正面図、（ｂ）は（ａ）のＤ−Ｄ線断面図である。
【図９】従来例を示し、カバーをヒューズユニット本体に被せる状態を示す正面図である。
【発明を実施するための形態】
【００１４】
以下、本発明の一実施形態を図面に基づいて説明する。
【００１５】
図１〜図５は本発明の一実施形態を示す。図１〜図４に示すように、ヒューズユニット１は、車両のバッテリ（図示せず）に直付けされる。ヒューズユニット１は、ヒューズユニット本体２と、このヒューズユニット本体２の上面（外面）を覆うように配置されるカバー１０とを備えている。
【００１６】
ヒューズユニット本体２は、概略Ｌ字状に折り曲がった形状で、バスバー２０とこのバスバー２０の適所を覆う絶縁保護部３１とを備えている。バスバー２０の上面側には、給電用接続部２１と、複数の外部用接続部２２と、給電用接続部２１と一方の外部用接続部２２間に介在され、外部用接続部２２への過電流を阻止する可溶部２３とが設けられている。給電用接続部２１は、接続端子（図示せず）を介してバッテリポスト（図示せず）に接続される。これにより、ヒューズユニット１は、バッテリに直付けで固定される。各外部用接続部２２には、ボルト２５が設けられている。ボルト２５は、その頭部が絶縁保護部３１に埋設されることよって固定されている。バスバー３０の側面側には、他の外部用接続部（図示せず）への過電流を阻止する他の可溶部２４とコネクタ接続用の外部用接続部（図示せず）が設けられている。
【００１７】
カバー１０は、例えばポリプロピレン樹脂材から形成されている。カバー１０は、ヒューズユニット本体２とバッテリ端子（図示せず）とバッテリポスト（図示せず）を覆い、ヒューズユニット本体２への装着時に、給電用接続部２１、  外部用接続部２２のみならずバッテリ端子（図示せず）とバッテリポスト（図示せず）の通電時の絶縁を確保する。
【００１８】
カバー１０は、ヒューズユニット本体２に装着される固定カバー部１１と、固定カバー部１１にヒンジ部１２を介して連結された可動カバー部１３とを有する。固定カバー部１１は、上面壁１１ａとその周縁より下方に延びる側壁１１ｂとを有する。固定カバー部１１は、ヒューズユニット本体２の２箇所の外部用接続部２２の上方を覆う。可動カバー部１３は、固定カバー部１１に対してヒンジ部１２によって揺動可能に設けられている。閉位置の可動カバー部１３は、バッテリ端子（図示せず）とバッテリポスト（図示せず）を上方より覆っている。可動カバー部１３を開位置にすることによって、バッテリ端子（図示せず）とバッテリポスト（図示せず）を露出させることができる。
【００１９】
次に、カバー１０のヒューズユニット本体２に対する装着構造を説明する。図３（ｂ）に詳しく示すように、ヒューズユニット本体２の絶縁保護部３１には、それぞれ係止孔３２ａを有する一対の本体側係止部３２が一体に設けられている。一対の本体側係止部３２は、左右両側端面より上方に向かって突出している。上方に突出している各本体側係止部３２と絶縁保護部３１の側端面との間には、下記するカバー側係止部１５が進入するスペース３３がそれぞれ形成されている。
【００２０】
図４（ｂ）、（ｃ）に詳しく示すように、固定カバー部１１の上面壁１１ａには、両側壁１１ｂのそれぞれ内側に配置され、撓み変形可能に形成された一対のカバー側係止部１５が設けられている。各カバー側係止部１５は、細長い板状のアーム部１５ａとこのアーム部１５ａの先端に設けられた係止爪１５ｂを有する。一対の係止爪１５ｂは、アーム部１５ａの外側の面に突設されている。つまり、各カバー側係止部１５の配置位置を基準として、カバー１０の外側に向かって共に突出している。
【００２１】
又、各カバー側係止部１５のアーム部１５ａの根本部は、アール形状部１６として形成されている。カバー１０のヒューズユニット本体２への装着時に、アール形状部１６に対向するヒューズユニット本体２の絶縁保護部３１の角部もアール形状部３４として形成されている。カバー側係止部１５のアール形状部１６の曲率半径をＲ１、ヒューズユニット本体２のアール形状部３４の曲率半径をＲ２とすると、Ｒ１＜Ｒ２に設定されている。
【００２２】
次に、カバー１０のヒューズユニット本体２への装着作業を説明する。図５（ａ）に示すように、カバー１０をヒューズユニット本体２の上方より被せるべく下方に移動する。すると、先ず、各カバー側係止部１５の係止爪１５ｂと各本体側係止部３２が突き当たる。この状態より更に下方に移動すると、図５（ｂ）に示すように、一対のカバー側係止部１５のアーム部１５ａがそれぞれ内側に撓み変形し（図５（ｂ）のａ矢印方向）、カバー側係止部１５の係止爪１５ｂが本体側係止部３２の内面を摺動する。カバー側係止部１５の係止爪１５ｂが本体側係止部３２の係止孔３２ａの位置まで移動すると、図５（ｃ）に示すように、カバー側係止部１５のアーム部１５ａが撓み復帰方向に変形し、カバー側係止部１５の係止爪１５ｂが本体側係止部３２の係止孔３２ａに入り込み、係止される。ここで、一対のカバー側係止部１５の係止爪１５ｂは、それぞれ外側向きの撓み復帰力Ｆを作用させた状態で係止される。これで、カバー１０がヒューズユニット本体２に装着される。
【００２３】
以上説明したように、カバー１０をヒューズユニット本体２の外面に被せると、カバー側係止部１５が撓み変形して本体側係止部３２に係止されるため、カバー１０の装着作業が容易である。又、一対のカバー側係止部１５の配置位置（例えば間隔寸法）がカバー１０の側壁１１ｂの変形や、ヒューズユニット本体２とカバー１０間の組み付け誤差等によって容易に変化しない。従って、一対のカバー側係止部１５は、共に外側向きの撓み復帰力Ｆを作用させた状態で本体側係止部３２に係止されるため、カバー側係止部１５と本体側係止部３２の間にクリアランスが発生せず、しかも、カバー１０の装着後において、一対のカバー側係止部１５の撓み復帰力Ｆがヒューズユニット本体２に対するカバー１０の保持力として作用する。以上より、カバー１０の装着作業が容易で、しかも、カバー１０がヒューズユニット本体２に対してガタ付かない。
【００２４】
カバー側係止部１５のアール形状部１６の曲率半径をＲ１、ヒューズユニット本体２のアール形状部３４の曲率半径をＲ２とすると、Ｒ１＜Ｒ２に設定されている。図６（ａ）には、Ｒ１＜Ｒ２とした場合が示され、図６（ｂ）には、Ｒ１＞Ｒ２とした場合が比較例として示されている。図１（ａ）、（ｂ）で明らかなように、Ｒ１＜Ｒ２とした方がカバー１０の内面とヒューズユニット本体２の外面との隙間ｄ１を小さくでき、ヒューズユニット１の小型化を図ることができる。
【００２５】
この実施形態では、一対のカバー側係止部１５は、共に外側向きの撓み復帰力Ｆを作用させた状態で本体側係止部３２に係止されている。これとは逆に、一対のカバー側係止部１５は、共に内側向きの撓み復帰力Ｆを作用させた状態で本体側係止部３２に係止されるようにしても良い。
【００２６】
この実施形態では、ヒューズユニットはバッテリに直付けされるものであるが、本発明はカバーを備えたヒューズユニットであれば適用可能である。
【符号の説明】
【００２７】
１  ヒューズユニット
２  ヒューズユニット本体
１０  カバー
１１ｂ  側壁
１５  カバー側係止部
１６，３４  アール形状部
２３，２４  可溶部
３２  本体側係止部
【図１】
2015088307.tif 000003
【図２】
2015088307.tif 000004
【図３】
2015088307.tif 000005
【図４】
2015088307.tif 000006
【図５】
2015088307.tif 000007
【図６】
2015088307.tif 000008
【図７】
2015088307.tif 000009
【図８】
2015088307.tif 000010
【図９】
2015088307.tif 000011